【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
導電性軸芯体と弾性層と表面層とを有する現像ローラーであって、
該表面層は、ポリオレフィンポリオール（Ａ）と、フルアルキル型メラミン化合物（Ｂ）との重合体を含み、
該ポリオレフィンポリオール（Ａ）は、ＧＰＣ法によって得られる分子量分布に基づく数平均分子量Ｍｎが３０００≦Ｍｎ≦１５０００であり、分散度Ｍｗ／Ｍｎが２．８０≦Ｍｗ／Ｍｎ≦１２．５０であり、
該フルアルキル型メラミン化合物（Ｂ）は、下記式（１）で表されるメラミン化合物のモノマー及びそのオリゴマーから選ばれる少なくとも一方を含むことを特徴とする現像ローラー：
【化１】
2008020900.tif 000001
［式（１）中、Ｒ１〜Ｒ６は各々独立してメチル基、エチル基、プロピル基、ブチル基、ペンチル基及びヘキシル基から選ばれる何れかのアルキル基を示す］。
【請求項２】
請求項１に記載の現像ローラーの製造方法であって、
ポリオレフィンポリオール（Ａ）と、フルアルキル型メラミン化合物（Ｂ）とを含む表面層成形用の塗料の塗膜を弾性層上に形成し、該塗膜を乾燥硬化させて該ポリオレフィンポリオール（Ａ）と該フルアルキル型メラミン化合物（Ｂ）との重合体を含む表面層を形成する工程を有し、
該ポリオレフィンポリオール（Ａ）は、ＧＰＣ法によって得られる分子量分布に基づく数平均分子量Ｍｎが３０００≦Ｍｎ≦１５０００であり、分散度Ｍｗ／Ｍｎが２．８０≦Ｍｗ／Ｍｎ≦１２．５０であり、
該フルアルキル型メラミン化合物（Ｂ）は、下記式（１）で表されるメラミン化合物のモノマー及びそのオリゴマーから選ばれる少なくとも一方を含むことを特徴とする現像ローラーの製造方法：
【化２】
2008020900.tif 000002
［式（１）中、Ｒ１〜Ｒ６は各々独立してメチル基、エチル基、プロピル基、ブチル基、ペンチル基及びヘキシル基から選ばれる何れかのアルキル基を示す］。
【請求項３】
前記ポリオレフィンポリオール（Ａ）が、ＧＰＣ法によって得られる分子量分布曲線における分子量３０００から１５０００の間に少なくとも２つのピークを有するものである請求項２に記載の現像ローラーの製造方法。
【請求項４】
前記ポリオレフィンポリオール（Ａ）が、ＧＰＣ法によって得られる分子量分布曲線における分子量３０００から１５０００の間に存在するピークのうち最大分子量におけるピークのピーク強度（Ｉｍａｘ）と最小分子量におけるピークのピーク強度（Ｉｍｉｎ）の比が、０．５≦（Ｉｍａｘ）／（Ｉｍｉｎ）≦２．０である請求項３に記載の現像ローラーの製造方法。
【請求項５】
前記ポリオレフィンポリオール（Ａ）が、ポリオレフィンポリオール（ａ１）及びポリオレフィンポリオール（ａ２）を含有し、
該ポリオレフィンポリオール（ａ１）とポリオレフィンポリオール（ａ２）とが同一の繰り返し単位を有し、かつ、
該ポリオレフィンポリオール（ａ１）の数平均分子量が２５００から６０００、該ポリオレフィンポリオール（ａ２）の数平均分子量が７５００から７００００である請求項２から４のいずれか一項に記載の現像ローラーの製造方法。
【請求項６】
前記ポリオレフィンポリオール（Ａ）が、ポリブタジエンポリオールを含む請求項２から５のいずれか一項に記載の現像ローラーの製造方法。
【請求項７】
前記フルアルキル型メラミン化合物（Ｂ）の重合度が１．４０以下である請求項２から６のいずれか一項に記載の現像ローラーの製造方法。
【請求項８】
潜像担持体表面に現像剤を供給してトナー像とする現像ローラーを備え、電子写真装置に着脱自在な電子写真プロセスカートリッジにおいて、該現像ローラーが請求項１に記載の現像ローラーであることを特徴とする電子写真プロセスカートリッジ。
【請求項９】
潜像担持体表面に現像剤を供給してトナー像とする現像ローラーを備えた電子写真装置において、該現像ローラーが請求項１に記載の現像ローラーであることを特徴とする電子写真装置。
【手続補正２】
【補正対象書類名】明細書
【補正対象項目名】発明の名称
【補正方法】変更
【補正の内容】
【発明の名称】現像ローラーとその製造方法、電子写真プロセスカートリッジ及び電子写真装置
【手続補正３】
【補正対象書類名】明細書
【補正対象項目名】０００１
【補正方法】変更
【補正の内容】
【０００１】
本発明は、現像ローラーとその製造方法、これを用いた電子写真プロセスカートリッジ及び電子写真装置に関する。
【手続補正４】
【補正対象書類名】明細書
【補正対象項目名】００１２
【補正方法】変更
【補正の内容】
【００１２】
すなわち、本発明は、導電性軸芯体と弾性層と表面層とを有する現像ローラーであって、
該表面層は、ポリオレフィンポリオール（Ａ）と、フルアルキル型メラミン化合物（Ｂ）との重合体を含み、
該ポリオレフィンポリオール（Ａ）は、ＧＰＣ法によって得られる分子量分布に基づく数平均分子量Ｍｎが３０００≦Ｍｎ≦１５０００であり、分散度Ｍｗ／Ｍｎが２．８０≦Ｍｗ／Ｍｎ≦１２．５０であり、
該フルアルキル型メラミン化合物（Ｂ）は、下記式（１）で表されるメラミン化合物のモノマー及びそのオリゴマーから選ばれる少なくとも一方を含むことを特徴とする現像ローラー：
【化１】
2008020900.tif 000003
［式（１）中、Ｒ１〜Ｒ６は各々独立してメチル基、エチル基、プロピル基、ブチル基、ペンチル基及びヘキシル基から選ばれる何れかのアルキル基を示す］に関する。
また、本発明は、上記現像ローラーの製造方法であって、
ポリオレフィンポリオール（Ａ）と、フルアルキル型メラミン化合物（Ｂ）とを含む表面層成形用の塗料の塗膜を弾性層上に形成し、該塗膜を乾燥硬化させて該ポリオレフィンポリオール（Ａ）と該フルアルキル型メラミン化合物（Ｂ）との重合体を含む表面層を形成する工程を有し、
該ポリオレフィンポリオール（Ａ）は、ＧＰＣ法によって得られる分子量分布に基づく数平均分子量Ｍｎが３０００≦Ｍｎ≦１５０００であり、分散度Ｍｗ／Ｍｎが２．８０≦Ｍｗ／Ｍｎ≦１２．５０であり、
該フルアルキル型メラミン化合物（Ｂ）は、下記式（１）で表されるメラミン化合物のモノマー及びそのオリゴマーから選ばれる少なくとも一方を含むことを特徴とする現像ローラーの製造方法：
【化２】
2008020900.tif 000004
［式（１）中、Ｒ１〜Ｒ６は各々独立してメチル基、エチル基、プロピル基、ブチル基、ペンチル基及びヘキシル基から選ばれる何れかのアルキル基を示す］に関する。
【手続補正５】
【補正対象書類名】明細書
【補正対象項目名】００４０
【補正方法】変更
【補正の内容】
【００４０】
で表されるメラミン化合物（モノマー）や、このメラミン化合物の多量体（オリゴマー）や、これらの混合物を用いる。式（１）中、置換基Ｒ1〜Ｒ6は、独立して、メチル基、エチル基、プロピル基、ブチル基、ペンチル基、ヘキシル基等のアルキル基を示す。これらのうち、置換基Ｒ1〜Ｒ6がメチル基又はブチル基を示すことが好ましく、より好ましくは、総てがメチル基、又は、総てがブチル基を示すことである。更に好ましくは、置換基Ｒ1〜Ｒ6がメチル基又はブチル基であって、総てがメチル基であるもの、または総てがブチル基であるものを除いたものである。式（１）で表されるフルアルキル型メラミン化合物（Ｂ）のうち、置換基Ｒ1〜Ｒ6が総てメチル基を示すものをメチル化メラミン化合物、置換基Ｒ1〜Ｒ6が総てブチル基を示すものをブチル化メラミン化合物という。式（１）で表されるフルアルキル型メラミン化合物（Ｂ）のうち、置換基Ｒ1〜Ｒ6がメチル基又はブチル基であって、かつ、総てがメチル基であるもの、又は、総てがブチル基であるものを除いたものを、メチル・ブチル混合アルキル化メラミン化合物と称する。これらのうちメチル・ブチル混合アルキル化メラミン化合物は、ポリオレフィンポリオールとの相溶性・反応性に優れ、現像ローラーにおける汚染抑制効果や硬度ムラ抑制効果が優れる点から好ましい。
【手続補正６】
【補正対象書類名】明細書
【補正対象項目名】００５４
【補正方法】変更
【補正の内容】
【００５４】
弾性層の成形後、表面層を成形する。表面層の成形方法としては、上記ポリオレフィンポリオール（Ａ）と、フルアルキル型メラミン化合物（Ｂ）、必要に応じてその他の成分の表面層材料を含有する組成物（未硬化組成物という。）を調製する。これを用いて、塗工成形法により、弾性層上に未硬化組成物の塗布液を用いて塗膜を形成し、硬化する方法を用いる。